(57)【要約】【課題】消費電力及び記憶領域を節約することができる上、車両の走行が止まった後でも時間的間隔をおいて撮影したり突発的なイベントを撮影したりして運転手の権益を守るドライブレコーダを提供する。【解決手段】ドライブレコーダ１は、中央処理ユニット１１、メモリモジュール１２、給電モジュール１３、撮像ユニット１４、車両停止センサモジュール１５、時間経過トリガ撮像ユニット１６及び検知トリガ撮像モジュール１７を備える。給電モジュール１３は、中央処理ユニット１１と電気的に接続された内部給電モジュール１３１及び車両受電ユニット１３２を有する。撮像ユニット１４は、中央処理ユニット１１と電気的に接続される。車両停止センサモジュール１５は、中央処理ユニット１１とそれぞれ電気的に接続された車両受電ユニット１３２及び時間経過・検知撮像モード起動ユニット１６を有する。【選択図】図１
0003186929.tif 000002
【実用新案登録請求の範囲】
【請求項１】
中央処理ユニット、メモリモジュール、給電モジュール、撮像ユニット、車両停止センサモジュール、時間経過トリガ撮像ユニット及び検知トリガ撮像モジュールを備えたドライブレコーダであって、
前記メモリモジュールは、前記中央処理ユニットと電気的に接続され、
前記給電モジュールは、前記中央処理ユニットと電気的に接続された内部給電モジュール及び車両受電ユニットを有し、
前記撮像ユニットは、前記中央処理ユニットと電気的に接続され、
前記車両停止センサモジュールは、前記中央処理ユニットとそれぞれ電気的に接続された車両受電ユニット及び時間経過・検知撮像モード起動ユニットを有し、
前記時間経過トリガ撮像ユニットは、前記中央処理ユニットを介して前記撮像ユニット、前記メモリモジュール、前記車両受電ユニット及び前記内部給電ユニットとそれぞれ電気的に接続されるか、前記撮像ユニット、前記メモリモジュール、車両電力センサユニット、前記時間経過・検知撮像モード起動ユニット及び前記車両受電ユニットとそれぞれ電気的に接続され、
前記検知トリガ撮像モジュールは、重力変化トリガ撮像ユニット、画像変化トリガ撮像ユニット、音声変化トリガ撮像ユニット及び温度変化トリガ撮像ユニットからなる群から選ばれる一種以上を含み、前記中央処理ユニットを介して前記撮像ユニット、前記メモリモジュール、前記車両電力センサユニット及び前記内部給電ユニットとそれぞれ電気的に接続されるか、前記撮像ユニット、前記メモリモジュール、前記車両電力センサユニット、前記時間経過・検知撮像モード起動ユニット及び前記車両受電ユニットと電気的に接続されることを特徴とするドライブレコーダ。
【請求項２】
前記メモリモジュールは、前記中央処理ユニットとそれぞれ電気的に接続された一時画像記憶ユニット及び完全画像記憶ユニットを有し、
前記時間経過トリガ撮像ユニット及び前記撮像ユニットが撮影した画像は、一時画像記憶ユニットに記憶され、
前記検知トリガ撮像モジュール及び前記撮像ユニットが撮影した画像は、完全画像記憶ユニットに記憶されることを特徴とする請求項１に記載のドライブレコーダ。
【請求項３】
前記時間経過トリガ撮像ユニットと前記中央処理ユニットとは一体化され、
前記時間経過トリガ撮像ユニットはカウンタであることを特徴とする請求項１に記載のドライブレコーダ。
【請求項４】
前記時間経過トリガ撮像ユニットと前記中央処理ユニットとは一体化され、
前記時間経過トリガ撮像ユニットはカウンタであることを特徴とする請求項２に記載のドライブレコーダ。
【請求項５】
前記車両停止センサモジュールは、前記中央処理ユニットと電気的に接続された時間経過・検知撮像モード表示ユニットを有し、
前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることを特徴とする請求項１に記載のドライブレコーダ。
【請求項６】
前記車両停止センサモジュールは、前記中央処理ユニットと電気的に接続された時間経過・検知撮像モード表示ユニットを有し、
前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることを特徴とする請求項２に記載のドライブレコーダ。
【請求項７】
前記車両停止センサモジュールは、前記中央処理ユニットと電気的に接続された時間経過・検知撮像モード表示ユニットを有し、
前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることを特徴とする請求項３に記載のドライブレコーダ。
【請求項８】
前記車両停止センサモジュールは、前記中央処理ユニットと電気的に接続された時間経過・検知撮像モード表示ユニットを有し、
前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることを特徴とする請求項４に記載のドライブレコーダ。
【請求項９】
前記時間経過・検知撮像モード表示ユニットは、発光器又は表示装置であり、
前記時間経過・検知撮像モード起動ユニットは、物理的スイッチ又はバーチャルスイッチであり、
前記重力変化トリガ撮像ユニットは重力センサであり、
前記画像変化トリガ撮像ユニットは、赤外線モーションセンサであり、
前記音声変化トリガ撮像ユニットは音声センサであり、
前記温度変化トリガ撮像ユニットは温度センサであることを特徴とする請求項５乃至８の何れかに記載のドライブレコーダ。
【請求項１０】
前記中央処理ユニットとそれぞれ電気的に接続された画像表示ユニット、捕音ユニット、音声再生ユニット及び走行撮像モード起動ユニットからなる群から選ばれる一種以上をさらに備えることを特徴とする請求項１に記載のドライブレコーダ。
【考案の詳細な説明】
【技術分野】
【０００１】
本考案は、ドライブレコーダに関し、特に、消費電力及び記憶領域を節約することができる上、車両の走行が止まった後でも時間的間隔をおいて撮影したり突発的なイベントを撮影したりして運転手の権益を守るドライブレコーダに関する。
【背景技術】
【０００２】
都市に住んでいる者は、自家用車、タクシー、バス、観光バスなどの乗り物に乗って速やかかつ便利に移動することができる上、都市にはトラック、ダンプなどの車両が走行して都市の急速な発展に寄与している。しかし、都市の急速な発展過程では、乗り物の台数が次第に多くなり交通事故が増加することが一般的であり、運転手の権益を守るためにドライブレコーダが開発されている。しかし、従来のドライブレコーダは一般に車両が走行するときにしか車両の外部を撮影しないため、車両の走行が止まって運転手が車両から離れた後の状況は、従来のドライブレコーダは撮影しなかった。そのため、もし車両が外力を受けて損壊した場合であってもその場面を撮影した画像により運転手の権益を守ることは困難であった。また、従来のドライブレコーダは、車両が止まって運転手が車両を離れた後でも撮影し続ける場合、大量の電気が消費されたり記憶領域が無駄に使用されたりすることがあった。
【０００３】
そのため、消費電力及び記憶領域を節約することができる上、車両の走行が止まった後でも時間的間隔をおいて撮影したり突発的なイベントを撮影したりして運転手の権益を守るドライブレコーダが求められていた。
【考案の概要】
【考案が解決しようとする課題】
【０００４】
本考案の目的は、消費電力及び記憶領域を節約することができる上、車両の走行が止まった後でも時間的間隔をおいて撮影したり突発的なイベントを撮影したりして運転手の権益を守るドライブレコーダを提供することにある。
【課題を解決するための手段】
【０００５】
上記課題を解決するために、本考案の第１の形態によれば、中央処理ユニット、メモリモジュール、給電モジュール、撮像ユニット、車両停止センサモジュール、時間経過トリガ撮像ユニット及び検知トリガ撮像モジュールを備えたドライブレコーダであって、前記メモリモジュールは、前記中央処理ユニットと電気的に接続され、前記給電モジュールは、前記中央処理ユニットと電気的に接続された内部給電モジュール及び車両受電ユニットを有し、前記撮像ユニットは、前記中央処理ユニットと電気的に接続され、前記車両停止センサモジュールは、前記中央処理ユニットとそれぞれ電気的に接続された車両受電ユニット及び時間経過・検知撮像モード起動ユニットを有し、前記時間経過トリガ撮像ユニットは、前記中央処理ユニットを介して前記撮像ユニット、前記メモリモジュール、前記車両受電ユニット及び前記内部給電ユニットとそれぞれ電気的に接続されるか、前記撮像ユニット、前記メモリモジュール、車両電力センサユニット、前記時間経過・検知撮像モード起動ユニット及び前記車両受電ユニットとそれぞれ電気的に接続され、前記検知トリガ撮像モジュールは、重力変化トリガ撮像ユニット、画像変化トリガ撮像ユニット、音声変化トリガ撮像ユニット及び温度変化トリガ撮像ユニットからなる群から選ばれる一種以上を含み、前記中央処理ユニットを介して前記撮像ユニット、前記メモリモジュール、前記車両電力センサユニット及び前記内部給電ユニットとそれぞれ電気的に接続されるか、前記撮像ユニット、前記メモリモジュール、前記車両電力センサユニット、前記時間経過・検知撮像モード起動ユニット及び前記車両受電ユニットと電気的に接続されることを特徴とするドライブレコーダが提供される。
【０００６】
前記メモリモジュールは、前記中央処理ユニットとそれぞれ電気的に接続された一時画像記憶ユニット及び完全画像記憶ユニットを有し、前記時間経過トリガ撮像ユニット及び前記撮像ユニットが撮影した画像は、一時画像記憶ユニットに記憶され、前記検知トリガ撮像モジュール及び前記撮像ユニットが撮影した画像は、完全画像記憶ユニットに記憶されることが好ましい。
【０００７】
前記時間経過トリガ撮像ユニットと前記中央処理ユニットとは一体化され、前記時間経過トリガ撮像ユニットはカウンタであることが好ましい。
【０００８】
前記時間経過トリガ撮像ユニットと前記中央処理ユニットとは一体化され、前記時間経過トリガ撮像ユニットはカウンタであることが好ましい。
【０００９】
前記車両停止センサモジュールは、前記中央処理ユニットと電気的に接続された時間経過・検知撮像モード表示ユニットを有し、前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることが好ましい。
【００１０】
前記車両停止センサモジュールは、前記中央処理ユニットと電気的に接続された時間経過・検知撮像モード表示ユニットを有し、前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることが好ましい。
【００１１】
前記車両停止センサモジュールは、前記中央処理ユニットと電気的に接続された時間経過・検知撮像モード表示ユニットを有し、前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることが好ましい。
【００１２】
前記車両停止センサモジュールは、前記中央処理ユニットと電気的に接続された時間経過・検知撮像モード表示ユニットを有し、前記時間経過・検知撮像モード表示ユニットは、前記中央処理ユニットを介して前記車両電力センサユニット及び前記内部給電ユニットとそれぞれ電気的に接続されるか、前記中央処理ユニットを介して前記車両電力センサユニット、前記時間経過・検知撮像モード起動ユニット及び前記車両受電ユニットとそれぞれ電気的に接続されることが好ましい。
【００１３】
前記時間経過・検知撮像モード表示ユニットは、発光器又は表示装置であり、前記時間経過・検知撮像モード起動ユニットは、物理的スイッチ又はバーチャルスイッチであり、  前記重力変化トリガ撮像ユニットは重力センサであり、前記画像変化トリガ撮像ユニットは、赤外線モーションセンサであり、前記音声変化トリガ撮像ユニットは音声センサであり、前記温度変化トリガ撮像ユニットは温度センサであることが好ましい。
【００１４】
前記中央処理ユニットとそれぞれ電気的に接続された画像表示ユニット、捕音ユニット、音声再生ユニット及び走行撮像モード起動ユニットからなる群から選ばれる一種以上をさらに備えることが好ましい。
【考案の効果】
【００１５】
本考案のドライブレコーダは、消費電力及び記憶領域を節約する上、車両の走行が止まった後でも時間的間隔をおいて撮影したり突発的なイベントを撮影したりして運転手の権益を守る。
【図面の簡単な説明】
【００１６】
【図１】図１は、本考案の一実施形態に係るドライブレコーダを示すブロック図である。
【考案を実施するための形態】
【００１７】
以下、本考案の実施形態について図に基づいて説明する。なお、これによって本考案が限定されるものではない。
【００１８】
図１を参照する。図１は、本考案の一実施形態に係るドライブレコーダを示すブロック図である。図１に示すように、本考案の一実施形態に係るドライブレコーダ１は、少なくとも中央処理ユニット１１、メモリモジュール１２、給電モジュール１３、撮像ユニット１４、車両停止センサモジュール１５、時間経過トリガ撮像ユニット１６及び検知トリガ撮像モジュール１７から構成される。中央処理ユニット１１は、画像データ及びその他のデータを演算処理する中央処理装置でもよい。メモリモジュール１２は、中央処理ユニット１１と電気的に接続されている。メモリモジュール１２は、画像データ及びその他のデータを記憶するメモリでもよい。給電モジュール１３は、中央処理ユニット１１とそれぞれ電気的に接続された内部給電ユニット１３１及び車両受電ユニット１３２を有する。内部給電ユニット１３１は電池でもよい。車両受電ユニット１３２は、ケーブルを介して車両のタバコ用着火装置と電気的に接続される電気コネクタでもよい。給電モジュール１３は、ドライブレコーダ１の動作に必要な電力を供給するために用いる。撮像ユニット１４は、中央処理ユニット１１と電気的に接続される。撮像ユニット１４は、ＣＣＤ（Ｃｈａｒｇｅ  Ｃｏｕｐｌｅｄ  Ｄｅｖｉｃｅ）又はＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）でもよい。撮像ユニット１４は、車両の外部を撮影するために用いる。車両停止センサモジュール１５は、中央処理ユニット１１と電気的に接続された車両電力センサユニット１５１及び時間経過・検知撮像モード起動ユニット（ｔｉｍｅ  ｌａｐｓｅ  ａｎｄ  ｓｅｎｓｉｎｇ  ｉｍａｇｅ  ｃａｐｔｕｒｉｎｇ  ｍｏｄｅ  ｓｔａｒｔｉｎｇ  ｕｎｉｔ）１５３を有する。車両電力センサユニット１５１は、車両の走行が止まった後にドライブレコーダ１へ電力が供給されているか否かを検知する処理回路又は処理チップでもよい。時間経過・検知撮像モード起動ユニット１５３は、手動によりドライブレコーダ１の時間経過・検知撮像機能をオンするために用いる物理的スイッチ又は（タッチスクリーンに表示した）バーチャルスイッチでもよい。時間経過トリガ撮像ユニット１６は、中央処理ユニット１１を介して撮像ユニット１４、メモリモジュール１２、車両電力センサユニット１５１及び内部給電ユニット１３１とそれぞれ電気的に接続されたり、撮像ユニット１４、メモリモジュール１２、車両電力センサユニット１５１、時間経過・検知撮像モード起動ユニット１５３及び車両受電ユニット１３２とそれぞれ電気的に接続されたりしてもよい。検知トリガ撮像モジュール１７は、重力変化トリガ撮像ユニット１７１、画像変化トリガ撮像ユニット１７２、音声変化トリガ撮像ユニット１７３及び温度変化トリガ撮像ユニット１７４からなる群から選ばれる一種以上を含む。検知トリガ撮像モジュール１７は、中央処理ユニット１１を介して撮像ユニット１４、メモリモジュール１２、車両電力センサユニット１５１及び内部給電ユニット１３１とそれぞれ電気的に接続されるか、撮像ユニット１４、メモリモジュール１２、車両電力センサユニット１５１、時間経過・検知撮像モード起動ユニット１５３及び車両受電ユニッ���１３２とそれぞれ電気的に接続される。
【００１９】
車両の走行が止まった後、車両に電力が供給されていないことを車両電力センサユニット１５１が検知すると、中央処理ユニット１１は、時間経過トリガ撮像ユニット１６、検知トリガ撮像モジュール１７、撮像ユニット１４及びメモリモジュール１２を自動的に起動し、ドライブレコーダ１の時間経過・検知撮像機能を起動し、このとき内部給電ユニット１３１によりドライブレコーダ１へ電力を供給する。車両の走行が止まった後、車両に電力が供給されたことを運転手が知り、車両電力センサユニット１５１が車両に電力が供給されたことを検知した場合、運転手は手動で時間経過・検知撮像モード起動ユニット１５３をオンし、中央処理ユニット１１により時間経過トリガ撮像ユニット１６、検知トリガ撮像モジュール１７、撮像ユニット１４及びメモリモジュール１２を起動し、ドライブレコーダ１の時間経過・検知撮像機能を起動し、このとき車両の電池により車両受電ユニット１３２を介してドライブレコーダ１へ電力が供給される。また、時間経過トリガ撮像ユニット１６は、時間的間隔をあけて（例えば、１分間、５分間、１０分間など、運転手は間隔時間を任意に設定することができる）、撮像ユニット１４をトリガして車両外部を撮影する。撮像ユニット１４は、車両外部を撮影するときだけ（トリガされたとき）オンし、それ以外の時間（トリガされないとき）はオフして消費電力を節約する。ドライブレコーダ１の表示装置（図示せず）のそれぞれをオフして消費電力を減らす。また、検知トリガ撮像モジュール１７により重力発生変化を検知したり（重力変化トリガ撮像ユニット１７１により検知する）、撮像ユニット１４の以前の画像との変化を検知したり（画像変化トリガ撮像ユニット１７２により検知する）、ドライブレコーダ１の外部の音声の変化を検知したり（音声変化トリガ撮像ユニット１７３により検知する）、ドライブレコーダ１の外部の温度の変化を検知したり（温度変化トリガ撮像ユニット１７４により検知する）すると、時間経過トリガ撮像ユニット１６により撮像ユニット１４が時間的間隔をあけた撮影を停止し、画像を予めメモリモジュール１２中へ記憶しておき、続いて、検知トリガ撮像モジュール１７により撮像ユニット１４をトリガし、正常な撮像状態へ入り（例えば、３０枚／秒）、所定時間（例えば、１分間、５分間、１０分間など、運転手は撮像時間を任意に設定することができる）で撮影するが、このときドライブレコーダ１の表示装置（図示せず）をオフして消費電力を節約する。撮像ユニット１４は、画像が削除されることを防ぐために、撮影した画像をメモリモジュール１２中へ記憶して保護状態に入り、その後、検知トリガ撮像モジュール１７により撮像ユニット１４の正常な撮像状態を止め、時間経過トリガ撮像ユニット１６が時間間隔をあけて撮像ユニット１４をトリガし、車両の外部を撮影する。このように、ドライブレコーダ１の時間経過・検知撮像機能がオフされるまでこのサイクルを続ける。例えば、運転手が再び車両を起動して車両電力センサユニット１５１により車両を検知して電力を供給すると、ドライブレコーダ１の時間経過・検知撮像機能がオフされるか、運転手が手動で時間経過・検知撮像モード起動ユニット１５３をオフされる。
【００２０】
上述の構成により、本実施形態のドライブレコーダは、時間経過撮像を利用して消費電力及び記憶領域を節約することができる上、車両の走行を止めた後、時間的間隔をおいて撮影したり突発的なイベントが発生したときに（例えば、重力、画像、音声又は温度に変化が発生したとき）撮影したりして、運転手の権益を守る。
【００２１】
再び図１を参照する。図１に示すように、上述のメモリモジュール１２は、中央処理ユニット１１と電気的に接続された一時画像記憶ユニット（ｔｅｍｐｏｒａｒｙ  ｉｍａｇｅ  ｍｅｍｏｒｙ  ｕｎｉｔ）１２１及び完全画像記憶ユニット（ｃｏｍｐｒｅｈｅｎｓｉｖｅ  ｉｍａｇｅ  ｍｅｍｏｒｙ  ｕｎｉｔ）１２２を有する。時間経過トリガ撮像ユニット１６及び撮像ユニット１４が撮影した画像は、一時画像記憶ユニット１２１へ記憶される。検知トリガ撮像モジュール１７が重力、画像、音声又は温度に変化が発生したことを検知すると、画像が完全画像記憶ユニット１２２へ記憶される。また、検知トリガ撮像モジュール１７及び撮像ユニット１４により撮影された画像は、完全画像記憶ユニット１２２へ記憶される。
【００２２】
再び図１を参照する。図１に示すように、上述の時間経過トリガ撮像ユニット１６と中央処理ユニット１１とは一体化されてもよい。即ち、時間経過トリガ撮像ユニット１６はカウンター（ｃｏｕｎｔｅｒ）であり（間隔時間は運転手が任意に設定することができる）、これによりドライブレコーダ１の構造を簡素化することができる。
【００２３】
再び図１を参照する。図１に示すように、上述の車両停止センサモジュール１５は、中央処理ユニット１１と電気的に接続された時間経過・検知撮像モード表示ユニット（ｔｉｍｅ  ｌａｐｓｅ  ａｎｄ  ｓｅｎｓｉｎｇ  ｉｍａｇｅ  ｃａｐｔｕｒｉｎｇ  ｍｏｄｅ  ｄｉｓｐｌａｙ  ｕｎｉｔ）１５２を有する。時間経過・検知撮像モード表示ユニット１５２は、中央処理ユニット１１を介して車両電力センサユニット１５１及び内部給電ユニット１３１とそれぞれ電気的に接続されるか、中央処理ユニット１１を介して車両電力センサユニット１５１、時間経過・検知撮像モード起動ユニット１５３及び車両受電ユニット１３２とそれぞれ電気的に接続される。時間経過・検知撮像モード表示ユニット１５２は、発光器又は表示装置でもよく、ドライブレコーダ１が時間経過・検知撮像機能を起動しているか否かを表示する。例えば、発光器が発光したり表示装置が「オン（ｏｎ）」を表示するときに起動状態を表し、発光器が発光していなかったり表示装置が「オフ（ｏｆｆ）」を表示するときに未起動状態を表す。車両が走行を停止した後、車両電力センサユニット１５１により車両に電力が供給されていないことを検知すると、中央処理ユニット１１により時間経過トリガ撮像ユニット１６、検知トリガ撮像モジュール１７、撮像ユニット１４、メモリモジュール１２及び時間経過・検知撮像モード表示ユニット１５２を自動的に起動し（発光するか「オン（ｏｎ）」を表示する）ドライブレコーダ１の時間経過・検知撮像機能を起動させるが、このとき内部給電ユニット１３１によりドライブレコーダ１へ電力を供給する。車両の走行が止まった後、運転手が車両に電力が供給されているか否かを確かめることができず、車両電力センサユニット１５１により車両に電力が供給されていることを検知した場合、時間経過・検知撮像モード表示ユニット１５２は、発光を消したり表示装置により「オフ（ｏｆｆ）」状態を表示したりし、ドライブレコーダ１により時間経過・検知撮像機能が起動されていないことを運転手へ知らせ、このとき運転手は手動により時間経過・検知撮像モード起動ユニット１５３をオンし、中央処理ユニット１１により時間経過トリガ撮像ユニット１６、検知トリガ撮像モジュール１７、撮像ユニット１４、メモリモジュール１２及び時間経過・検知撮像モード表示ユニット１５２（発光するか「オン（ｏｎ）」を表示する」）をそれぞれ起動してドライブレコーダ１の時間経過・検知撮像機能を起動し、このとき車両の電池により車両受電ユニット１３２を介してドライブレコーダ１へ電力が供給される。この構成により、運転手は時間経過・検知撮像モード表示ユニット１５２を介してドライブレコーダ１の時間経過・検知撮像機能が起動しているか否かを知ることができる。
【００２４】
再び図１を参照する。図１に示すように、上述の重力変化トリガ撮像ユニット１７１は、重力の変化を検知してトリガする範囲を運転手が任意に設定することが可能な重力センサである。画像変化トリガ撮像ユニット１７２は、動作の変化を検知してトリガする感度を運転手が任意に設定することが可能な赤外線モーションセンサである。音声変化トリガ撮像ユニット１７３は、音声の変化を検知してトリガする感度を運転手が任意に設定することが可能な音声センサである。温度変化トリガ撮像ユニット１７４は、温度の変化を検知してトリガする範囲を運転手が任意に設定することが可能な温度センサである。
【００２５】
図１を再び参照する。図１に示すように、本考案の一実施形態に係るドライブレコーダ１は、中央処理ユニット１１と電気的に接続された画像表示ユニット１８１、捕音ユニット（ｓｏｕｎｄ  ｃａｐｔｕｒｉｎｇ  ｕｎｉｔ）１８２、音声再生ユニット１８３及び走行撮像モード起動ユニット１８４からなる群から選ばれる一種以上をさらに含んでもよい。走行撮像モード起動ユニット１８４は、運転手がドライブレコーダ１の走行撮像機能を手動でオン・オフするために用いる物理的スイッチ又は（タッチスクリーンに表示した）バーチャルスイッチでもよい。画像表示ユニット１８１は、撮像ユニット１４が撮影した画像を表示したり、ドライブレコーダ１を操作したりするために用いる表示装置又はタッチスクリーンでもよい。捕音ユニット１８２は、補音してメモリモジュール１２へ記憶するために用いるマイクロフォンでもよい。捕音ユニット１８２が捕音した音声は、撮像ユニット１４により撮影された画像と組み合わせて画像により伝えたい意味を運転手がより良く理解できるようにしてもよい。音声再生ユニット１８３は、捕音ユニット１８２が捕音した音声を再生するために用いるスピーカでもよい。また、本実施形態のドライブレコーダ１は、外部の装置とデータを送受信するために用いる電気コネクタ（図示せず）又は無線通信機（図示せず）をさらに含んでもよい。また、本実施形態のドライブレコーダ１は、ドライブレコーダ１を操作するために用いる操作用キーボード（図示せず）をさらに含んでもよい。また、本実施形態のドライブレコーダ１は、上述した全ての部品を設置する筐体（図示せず）をさらに含んでもよい。
【００２６】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２７】
１  ドライブレコーダ、１１  中央処理ユニット、１２  メモリモジュール、１３  給電モジュール、１４  撮像ユニット、１５  車両停止センサモジュール、１６  時間経過トリガ撮像ユニット、１７  検知トリガ撮像モジュール、１２１  一時画像記憶ユニット、１２２  完全画像記憶ユニット、１３１  内部給電ユニット、１３２  車両受電ユニット、１５１  車両電力センサユニット、１５２  時間経過・検知撮像モード表示ユニット、１５３  時間経過・検知撮像モード起動ユニット、１７１  重力変化トリガ撮像ユニット、１７２  画像変化トリガ撮像ユニット、１７３  音声変化トリガ撮像ユニット、１７４  温度変化トリガ撮像ユニット、１８１  画像表示ユニット、１８２  捕音ユニット、１８３  音声再生ユニット、１８４  走行撮像モード起動ユニット。
【図１】
0003186929.tif 000003